(57)【要約】【課題】日本語入力で使用されるユーザー辞書が、一人のメンバーのみでなくグループの特定多数のメンバー間で同じ内容となってシステム辞書に利用され、メンバー間で掲示板としても利用できる、日本語入力のユーザー辞書の利用方法を提供すること。【解決手段】サーバーの設定ディレクトリにグループのメンバーとしてクライアントのみがアクセスできるＷｅｂＤＡＶ又は同様のサービスを使用して、日本語入力のユーザー辞書が、グループ共有ファイルとして、該Ｗｅｂクライアントの一人により書き込まれるなど変更の都度、該ディレクトリにアップロードされると、他のクライアントにダウンロードされ、グループのメンバー間で同じ内容のユーザー辞書となって、掲示板としても利用できるようにする。【選択図】図１
2013214270.tif 000002
【特許請求の範囲】
【請求項１】
サーバーの設定ディレクトリにグループのメンバーとしてクライアントのみがアクセスできるＷｅｂＤＡＶ又は同様のサービスを使用して、日本語入力のＡＴＯＫ，ＭＳ−ＩＭＥなどの読みと登録単語を蓄積したユーザー辞書又はＡＴＯＫ，ＭＳ−ＩＭＥなどのものと別に作成された同様のユーザー辞書が、グループ共有ファイルとして、該クライアントの一人により書き込まれるなど変更の都度、該ディレクトリにアップロードされると、他のクライアントにダウンロードされ、グループのメンバー間で同じ内容のユーザー辞書となり、メンバーの一人が読みをハンドルネームに単語をメッセージにして書き込み登録を行い、他のメンバーがその読みの入力により該メッセージが読み出され、掲示板としても利用できることを特徴とする、日本語入力のユーザー辞書の利用方法。
【請求項２】
日本語入力のローマ字入力かな変換方法において、子音英字、数字及び記号の２字組合わせを読みにして、その１字目、２字目により決まる２次元アドレスを有し、各アドレスに１つ又は複数の単語を登録し、読みの入力に対してスペースキー以外の変換キーを使って１つ又は複数の登録単語が読み出され、１つの登録単語が選択キー打により、出力確定されるようにした方法により作成された、請求項１の方法に直接使用されるユーザー辞書。
【発明の詳細な説明】
【技術分野】
【０００１】  本発明は、日本語入力のＡＴＯＫ（登録商標），ＭＳ−ＩＭＥ（登録商標）などの登録単語を蓄積したユーザー辞書又は上記ＩＭＥなどと別に作成された同様のユーザー辞書の利用方法に関し、とくにグループメンバー間でその共有利用方法に関する。
【背景技術】
【０００２】  日本語入力のＡＴＯＫ，ＭＳ−ＩＭＥなどでは、膨大なかな漢字変換辞書のシステム辞書を補完するものとして一般的にかなの文字列を読みにして単語登録できるが、他方あまり知られていないが、英字、記号、かな、顔文字の単独及びこれらの組合わせの読みに対しても単語登録が可能でユーザー辞書（第一ユーザー辞書）が作成される。ここで言う単語とは、広く解釈され、上記したものに漢字も組合せた短文も登録できる。【０００３】  例えば職場で使っているパソコンで単語登録した数多くのデータを家庭のパソコンで使用したい場合には、職場のパソコンで蓄積された多数の登録単語をシステム辞書から分離させてユーザー辞書（第一ユーザー辞書）を作成し、これをフロッピー（登録商標）ディスクなどを介して家庭のパソコンへ移し代えシステム辞書として使用できるユーティリティ・ソフトが用意されている。【０００４】
【非特許文献１】ｈｔｔｐ：／／ｗｗｗ．ａｔｏｋ．ｃｏｍ／
【特許文献１】特開２０１１−１５４７１８号公報
【０００５】  なお、上記した記録メディアを使った移し代えの面倒を省くために、インターネットディスクを利用して複数のパソコンを使っているＡＴＯＫのユーザー辞書を同じ内容にする、ＡＴＯＫ  Ｓｙｎｃ  アドバンスが知られている（非特許文献１参照）。しかし、このユーティリティ・ソフトでは、一人のユーザーが持つ複数のパソコンなどデバイス（例えば職場のパソコンと家庭のパソコン）で同じユーザー辞書を使わせるものであって、グループで利用させるものではない。
特許文献１は、サーバーに記録されたユーザー辞書が、データベースとしてネットワーク（インターネット）に接続されたクライアント端末から利用され、該端末でユーザー辞書のうち読みを入力すると、語句（単語）が決定されると開示している。しかしながら、この開示例は、サーバーに記録されたユーザー辞書をクライアント間で共有して各クライアント端末にダウンロードさせるものではない。各クライアント端末で入力された読みだけに対してその対応する語句が、そのユーザーにより入力することなく、書き込まれるらしい。いわば、該データベースへのアクセスないし利用を共有化したものであって、クライアント端末間でユーザー辞書の内容は一致していない。【０００６】  本発明によるユーザー辞書には、特許第４８１１７７０号により知られるように、ＡＴＯＫ，ＭＳ−ＩＭＥなどのものと別で作成されたユーザー辞書（第二ユーザー辞書）も含まれる。該特許は、ローマ字入力かな漢字変換方法において、かなに対応しない英字２字について１字目、２字目の各英字により決まる２次元アドレスを有するユーザー独自の辞書メモリを作成しておき、該英字２字、ただし３字目でかなとなる可能性のある英字２字を除く、の入力に対して、変換キー打なしに、該英字２字に対応する前記２次元アドレスに格納された漢字などを含む１つの定型句又は区切りマークを介して連結された複数の定型句が読み出され、１つの定型句は選択・確定キー打不要で出力確定されるようにし、他方複数の定型句についてはそのうちの１つの定型句が選択キー打（例えば、タブキー、ｃｔｒｌキーとｓｐａｃｅキー）により、出力確定されるようにした、拡張漢字出力方法を開示している。【０００７】  さらに、子音英字、数字及び記号の２字組合わせを読みにして、その１字目、２字目により決まる２次元アドレスを有し、各アドレスに１つ又は複数の単語を登録し、１つの読みに対して１つの単語のみ登録されている場合でも、読みの入力に対して例えばタブキーを変換キーとして打って１つ又は複数の登録単語が読み出され、１つの定型句が選択キー打により、出力確定されるようにした方法により、ＡＴＯＫ，ＭＳ−ＩＭＥなどのものと別に作成されるユーザー辞書（第三ユーザー辞書）も含まれる。【０００８】  なお、第二と第三ユーザー辞書は、読みの構成が拡張されたこと、１つの読みに対して１つの単語のみ登録されている場合で、前者は変換キーなしで出力確定させるが、後者は変換キー打（例えばタブキー）を必要として確定出力させる点とで違う。これら第二又は第三ユーザー辞書を使っての読出しは、ＡＴＯＫ，ＭＳ−ＩＭＥなどと併用するために、変換キーはスペースキー以外の例えばタブキー又はｃｔｒｌキーとｓｐａｃｅキーを使用して実行できるアプリケーションを必要とする。読みと単語の書込み登録についても同様である。
【発明の開示】
【発明が解決しようとする課題】
【０００９】  本発明の課題は、日本語入力で単語登録された多数の登録単語を集積したユーザー辞書が、一人のメンバーのみでなくグループの特定多数のメンバー間で同じ内容となってシステム辞書に利用され、特異な利用として読みをアイディネームないしハンドルネームに、単語をメッセージにして書込み登録すれば、メンバー間で掲示板としても利用できる、日本語入力のユーザー辞書の利用方法を提供することである。
【課題を解決するための手段】
【００１０】  本発明は、サーバーの設定ディレクトリにグループのメンバーとしてクライアントのみがアクセスできるＷｅｂＤＡＶ又は同様のサービスを使用して、日本語入力のＡＴＯＫ，ＭＳ−ＩＭＥなどの登録単語を蓄積したユーザー辞書又はＡＴＯＫ，ＭＳ−ＩＭＥなどのものと別に作成されたユーザー辞書が、グループ共有ファイルとして、該Ｗｅｂクライアントの一人により書き込まれるなど変更の都度、該ディレクトリにアップロードされると、他のクライアントにダウンロードされ、グループのメンバー間で同じ内容のユーザー辞書となって、メンバーの一人が読みをハンドルネームに単語をメッセージにして書き込み登録を行い、他のメンバーがその読みの入力により該メッセージが読み出され、掲示板としても利用できることを特徴とする。
【発明の効果】
【００１１】  本発明によれば、ユーザー辞書はグループ共有とされるので、各メンバー固有の単語と共にグループ固有の単語も複数メンバーが協力して分担により書込み登録され、一種のデータベースの構築が容易で、他方読みがかな文字に限らず子音英字、数字及び記号などの短縮２字その他の組合わせが可能であるので、これらの多様な組合わせをハンドルネームにして単語をメッセージとして書込み登録すれば、メンバー間で掲示板としても利用できる、日本語入力のユーザー辞書の利用方法が得られる。
【発明を実施するための最良の形態】
【００１２】  ＷｅｂＤＡＶとは、Ｗｅｂ−ｂａｓｅｄ  Ｄｉｓｔｒｉｂｕｔｅｄ  ａｎｄ  Ｖｅｒｓｉｏｎｉｎｇの略でＨＴＴＰを拡張したプロトコルで、図１に示すようにＷｅｂＤＡＶサーバーとＷｅｂＤＡＶクライアント間でインターネットを介してファイルのアップロード、ダウンロード、一覧表示、移動などが可能なＷｅｂの拡張として知られている。ＷｅｂＤＡＶと同様なサービスとしてオンラインストレージの共有サービスが提供されている。
オンラインストレージとは、サーバーマシンのディスクスペースをユーザーに貸し出すサービスであり、ユーザーは割り当てられたディスクスペースにディレクトリを設定し、インターネット経由で自由に読み書きができるようになり、つまりユーザーのファイルをネットワーク上の複数台のコンピュータからアクセスでき、自由にアップロード、ダウンロードできる。各ユーザーごとに個別にパスワードが与えられ、異なるユーザーのファイルには原則としてアクセスできない。【００１３】  グループ共有ディスクに関し、各メンバーにつきパスワードあるいはメールアドレスなどを一括したリストにより、ベーシック認証その他の認証によりグループ以外のユーザーのアクセスを拒否する。このようにして、サーバーの設定ディレクトリないしショルダーにグループのメンバーのみがアクセスできるオンラインストレージの共有サービスが広く提供されている。【００１４】  日本語入力のＡＴＯＫ，ＭＳ−ＩＭＥなどにおけるシステム辞書に蓄積された多数の登録単語について、用意されているユーティリティ・ソフトを使い、システム辞書より多数の登録単語を分離させ集積されたユーザー辞書を作成し、又はＡＴＯＫ，ＭＳ−ＩＭＥなどのものと別で独立して作成されたユーザー辞書が、グループ共有ファイルとして、該Ｗｅｂクライアントの一人により書き込まれるなど変更され、設定ディレクトリにアップロードされると、他のＷｅｂクライアントにダウンロードされ、グループのメンバー間で同じ内容のユーザー辞書となって、メンバーの一人が読みをハンドルネームに単語をメッセージにして書き込み登録を行い、他のメンバーがその読みの入力によりメッセージが読み出され、掲示板としても利用する。なお、ＡＴＯＫ，ＭＳ−ＩＭＥなどのものと別で独立して作成されたユーザー辞書（第二、第三ユーザー辞書）については、読出し、単語登録のアプリケーションが別に用意される。このため、共有ファイルとして第二又は第三ユーザー辞書が選択される場合には、上記アプリケーションもＷｅｂＤＡＶサーバーの設定ディスクに設けておき、グループメンバーの端末にインストールされてないとき、その起動時にのみにダウンロードしておくことが好ましい。【００１５】  例えば、ＷｅｂＤＡＶクライアントの１人がユーザー辞書に書き込みなど変更登録する度に、これをネットワークファイルとしてコピーして、その複製ファイルが同時にＷｅｂＤＡＶサーバーへインターネットを介してアップロードされ、同時にこのサーバーによりインターネットを介して他のＷｅｂＤＡＶクライアントへダウンロードされ、そのネットワークファイルが該クライアントの使用するユーザー辞書としてシステム辞書が作成される。これにより、ＷｅｂＤＡＶクライアント、つまりグループのメンバー間で同じ内容のユーザー辞書が使用される。【００１６】  なお、ユーザー辞書には、特許第４８１１７７０号により知られるように、ＡＴＯＫ，ＭＳ−ＩＭＥなどのものと別で独立して作成された第二のユーザー辞書も含まれる。さらに、子音英字、数字及び記号の２字組合わせを読みにして１つ又は複数の単語を登録可能にし、１つの読みに対して１つの単語のみ登録されている場合でも、読みの入力に対して例え���タブキーを変換キーとして打って登録単語が出力されるようにした方法により、作成される第三のユーザー辞書（図２参照）も含まれる。これにより、短縮２字の多様な組合わせをハンドルネームとしメッセージを単語として書込み登録しておけば、少ないキー入力によりハンドルネームが特定され、メンバー間でそのハンドルネームを知り得る人が少なくして（秘密裡に）掲示板情報がやり取りできる。【００１７】  例えば、職場のパソコンを使って営業課長が自分のハンドルネームを「ｃｆ＠えいぎょう」とし、課員に伝達したいメッセージを「本日午後３時より会議あり。」と単語登録しておく。外出してノートパソコンを携帯している営業課員の１人は自分のハンドルネームを「ｍ１＠えいぎょう」とし、メッセージとして「本日午前、Ｂ会社開発部を訪問、午後帰社。」と単語登録しておく。これにより、課長、課員相互が予め知らされている上記ハンドルネームを読みにして入力すれば、互いのメッセージが読み出されて連絡がとれ、掲示板の役目を果たす。課員メンバー全員が課長のハンドルネームを読みにしてそのメッセージを読み出せば、同報通信と同じ効果を奏する。この例において、第二又は第三のユーザー辞書の選択によってはそれぞれのハンドルネームの読み「ｃｆ＠えいぎょう」は「ｃｆ」に、また読み「ｍ１＠えいぎょう」は「ｍ１」に短縮できる。また、単語登録では複数の単語が登録できるので、自分のハンドルネームを読みにして数日分の予定事項を書込み登録することもでき、さらに登録単語の削除もできるので、ユーザー辞書は黒板のように使える。
【図面の簡単な説明】
【図１】本発明の１実施例を示した概略系統図。
【図２】本発明による第三ユーザー辞書のメモリ構成例示図。
【図１】
2013214270.tif 000003
【図２】
2013214270.tif 000004